(57)【要約】【課題】取り扱いが容易であり、使用状態の如何にかかわらず、薬剤等の液体を一定量塗布することができ、また粘性の高い液体の導出にも適した定量塗布具を提供する。【解決手段】対象物に押当てた状態で、スプリング１１の反発力に抗して軸部１０の端部を押圧することによって、軸部１０に対して相対的にキャップ１６及び回止部材１３が上方へ移動する。この回止部材１３の上方への移動に伴い、前記回止部材１３のガイドピン１３ａがガイドスリット１０ａ、１０ｂによって案内され、前記回止部材１３を回動させる。前記回止部材１３の回動は前記ねじ棒１２を回動し、回動するねじ棒１２は前記ねじ体１４によって下方に進行し、前記キャップ１６の開口部１６ｂから充填された液体を導出する。【選択図】図１４
2015227205.tif 000002
【特許請求の範囲】
【請求項１】
薬剤等の液体を収容するボトル部と、ボトル部に対して着脱自在に装着される定量塗布体とを備え、前記定量塗布体を塗布する対象物に押当て、前記押当てた状態で液体を一定量導出する定量塗布具であって、
前記定量塗布体は、
上端部に設けられたスプリングが係止される係止部と、周面に設けられた螺旋状のガイドスリットと、内周面に形成された突起とを有する円筒状の軸部と、
下部に形成されたねじ部と、上部に形成された軸線方向に直線状に延設され、前記軸部の突起と係合する複数の突起とを有し、前記軸部内に収容されるねじ棒と、
前記ねじ棒の先端部に取り付けられるピストンと、
前記ピストンを内部に収容すると共に、底面に液体を導入、導出する開口部が形成され、前記軸部の下部に、前記軸部に対して上下動かつ回動可能に設けられたキャップと、
前記キャップ内に固定して設けられ、前記ねじ棒に螺合することにより、前記ねじ棒を進退させるねじ体と、
円筒状の本体部と、前記本体部の外周面に形成された前記ガイドスリット内に移動可能に収容されたガイドピンと、前記本体部の内周部に形成された前記ねじ棒の突起と噛合する歯状突起と、前記本体部の上面に形成された前記スプリングの下端部を係止する係止部と、前記前記本体部の下面から下方向に延設され、前記キャップの上端部と接する脚部とを有し、前記ねじ棒と一体として回動すると共に、前記軸部に対して前記キャップが上下動することにより上下動し、前記上下動に伴い、前記ガイドピンが前記ガイドスリットに案内されることにより、回動する回止部材と、
を備えたことを特徴とする定量塗布具。
【請求項２】
前記ねじ体の外周面に形成された係止突起と、前記キャップの内周面の周方向に形成された複数の突起とを備え、
前記ねじ体の係止突起と前記キャップの突起とが係止されることによって、前記ねじ体が前記キャップ内に固定され、前記ねじ体に所定力以上の回動力が作用すると、前記前記ねじ体の係止突起と前記キャップの突起との係止が解除され、前記ねじ棒と共に前記ねじ体が回動することを特徴とする請求項１記載の定量塗布具。
【発明の詳細な説明】
【技術分野】
【０００１】
本発明は定量塗布具に関し、例えば、頭髪に塗布する薬剤等の液体を一定量塗布する定量塗布具に関するものである。
【背景技術】
【０００２】
本出願人は、先に、容器内に収容された内容物を定量吐出するノック式繰出容器を提案している（特許文献１）。また同様に、高粘度の内容物を繰出す際に、ノック力の損失を防ぎつつ操作感を更に軽くしたノック式塗布具を提案している（特許文献２）。
これら特許文献１，２に示されたノック式繰出容器、ノック式塗布具にあっては、本体の後端部に設けられた天冠あるいは繰出体を押圧することにより、本体内部の塗布液収容部を押圧し、本体の先端部に穂首、塗布体に塗布液を供給するものである。
【０００３】
これら塗布具に合っては、前記したように、本体の後端部に設けられた天冠あるいは繰出体をノックすることにより、内容物を一定量繰出すことができる。
しかしながら、本体の先端部の穂首、塗布体を、塗布する対象物に押し当てることによって、内容物を一定量導出するものでない。そのため、頭髪に塗布する育毛剤のような薬液等を塗布する塗布具のように、対象物に押当てた状態で、内容物を一定量導出するものには適さないという問題があった。
【０００４】
かかる問題を解決するものとして、特許文献３，４に示される定量塗布容器が提案されている。
これら定量塗布容は、容器そのものを反転あるいは傾倒させることにより、薬液などの液体を液体収容部から計量室内に供給口を介して導入する。そして、本体先端の塗布部を塗布すべき対象物に押し当てることにより、前記供給口を閉じ、前記計量室と容器本体側とを遮断する。
一方、前記塗布部が塗布すべき対象物に押し当てられることにより、塗布部の弁体が開き、塗布すべき対象物に対して、薬液などの液体が導出されるように構成されている。
【先行技術文献】
【特許文献】
【０００５】
【特許文献１】特開２００９−２５４４１９公報
【特許文献２】特開２０１１−１９４８２０公報
【特許文献３】特許第４８４２０６９公報
【特許文献４】特許第４７５３２３３公報
【発明の概要】
【発明が解決しようとする課題】
【０００６】
ところで、前記した特許文献３，４に示された定量塗布容器にあっては、前記計量室内に貯留される液体量で塗布すべき対象物の複数個所に塗布でき、しかも前記複数個所の塗布で使い切る１回分の量が貯留されている。
しかしながら、前記した特許文献３，４に示された定量塗布容器にあっては、塗布部が塗布すべき対象物に押し当てられることにより、塗布部の弁体が開き、塗布すべき対象物に対して、薬液などの液体が導出されるように構成されているため、本体先端の塗布部を対象物に押し当てた状態が続くと、計量室内に貯留される液体が導出され続けるという技術的課題があった。
即ち、塗布部を対象物に押し当て続けると、前記計量室内に貯留された液体が対象物の一箇所に吐出され、特に液体が薬液の場合等においては、好ましくないという技術的課題があった。
【０００７】
また、前記したように、塗布部の弁体が開き、塗布すべき対象物に対して、薬液などの液体が導出されるように構成されているため、粘性の高い液体の塗布には適さないという技術的課題があった。
更に、前記した特許文献３，４に示された定量塗布容器にあっては、液体が収容された容器自体を反転あるいは傾倒状態になして、本体先端の塗布部を対象物に押し当てなければならず、その取り扱いが容易ではないという技術的課題があった。
【０００８】
本発明は、上記事情に鑑みてなされたものであり、取り扱いが容易であり、使用状態の如何にかかわらず、薬剤等の液体を一定量塗布することができ、また粘性の高い液体の導出にも適した定量塗布具を提供することを目的とするものである。
【課題を解決するための手段】
【０００９】
本発明にかかる定量塗布具は、薬剤等の液体を収容するボトル部と、ボトル部に対して着脱自在に装着される定量塗布体とを備え、前記定量塗布体を塗布する対象物に押当て、前記押当てた状態で液体を一定量導出する定量塗布具であって、前記定量塗布体は、上端部に設けられたスプリングが係止される係止部と、周面に設けられた螺旋状のガイドスリットと、内周面に形成された突起とを有する円筒状の軸部と、下部に形成されたねじ部と、上部に形成された軸線方向に直線状に延設され、前記軸部の突起と係合する複数の突起とを有し、前記軸部内に収容されるねじ棒と、前記ねじ棒の先端部に取り付けられるピストンと、前記ピストンを内部に収容すると共に、底面に液体を導入、導出する開口部が形成され、前記軸部の下部に、前記軸部に対して上下動かつ回動可能に設けられたキャップと、前記キャップ内に設けられ、前記ねじ棒に螺合することにより、前記ねじ棒を進退させるねじ体と、円筒状の本体部と、前記本体部の外周面に形成された前記ガイドスリット内に移動可能に収容されたガイドピンと、前記本体部の内周部に形成された前記ねじ棒の突起と噛合する歯状突起と、前記本体部の上面に形成された前記スプリングの下端部を係止する係止部と、前記前記本体部の下面から下方向に延設され、前記キャップの上端部と接する脚部とを有し、前記ねじ棒と一体として回動すると共に、前記軸部に対して前記キャップが上下動することにより上下動し、前記上下動に伴い、前記ガイドピンが前記ガイドスリットに案内されることにより、回動する回止部材とを備えたことを特徴としている。
【００１０】
このように構成された本発明にかかる定量塗布具の定量塗布体は、前記軸部を回動させることにより軸部の突起がねじ棒を回動させる共に、前記ねじ体によって前記ねじ棒及びピストンを後退させ、キャップ内に前記開口部から液体を導入し、キャップ内に液体を充填する。
そして、薬剤等の液体を収容するボトル部から定量塗布体を外し、定量塗布体を塗布する対象物に押当てる。
この対象物に押当てた状態で、前記スプリングの反発力に抗して前記軸部の端部を押圧することによって、前記軸部に対して相対的にキャップ及び回止部材が上方へ移動する。この回止部材の上方への移動に伴い、前記回止部材のガイドピンがガイドスリットによって案内され、前記回止部材を回動させる。前記回止部材の回動は前記ねじ棒を回動し、回動するねじ棒は前記ねじ体によって下方に進行し、前記キャップの開口部から充填された液体を導出する。
【００１１】
このように、本発明にかかる定量塗布具の定量塗布体は、薬剤等の液体を収容するボトル部と、ボトル部に対して着脱自在に装着される定量塗布体とを備える定量塗布具であるため、ボトル部から取り出した定量塗布体を塗布対象物に押し当て、軸部を押圧するという簡単な動作で、一定量の液体を導出することができ、取り扱いが容易である。
また、ピストンによりキャップ内部に収容された液体を導出するため、また粘性の高い液体を導出させることができる。
更に、本発明にかかる定量塗布具の定量塗布体は、回止部材のガイドピンがガイドスリットによって案内されて回動し、この回止部材によってピストンを下方に移動させるものであり、しかも前記回止部材の回動量はガイドスリットによって規制されるため、常に一定量の液体を導出することができる。
【００１２】
ここで、前記ねじ体の外周面に形成された係止突起と、前記キャップの内周面の周方向に形成された複数の突起とを備え、前記ねじ体の係止突起と前記キャップの突起とが係止されることによって、前記ねじ体が前記キャップ内に固定され、前記ねじ体に所定力以上の回動力が作用すると、前記前記ねじ体の係止突起と前記キャップの突起との係止が解除され、前記ねじ棒と共に前記ねじ体が回動することが望ましい。
【００１３】
このように、前記ねじ体に所定力以上の回動力が作用すると、前記前記ねじ体の係止突起と前記キャップの突起との係止が解除され、前記ねじ棒と共に前記ねじ体が回動する。
即ち、前記ねじ体の係止突起と前記キャップの突起によって、いわゆるラチェット機構が形成されるため、所定力以上の回動力が作用した場合にも各部材の破損を防止することができる。
【発明の効果】
【００１４】
本発明によれば、取り扱いが容易であり、使用状態の如何にかかわらず、薬剤等の液体を一定量塗布することができ、また粘性の高い液体の導出にも適した定量塗布具を得ることができる。
【図面の簡単な説明】
【００１５】
【図１】図１は、本発明にかかる定量塗布具の第１の実施形態にかかる全体図であって、（ａ）は正面図、（ｂ）は側面図である。
【図２】図２は図１の縦断面図であって、（ａ）は、図１（ａ）の縦断面図、（ｂ）は図１（ｂ）の縦断面図である。
【図３】図３はボトルを示す図であって、（ａ）は正面図、（ｂ）は平面図、（ｃ）は縦断面図である。
【図４】図４は保持部材を示す図であって、（ａ）は斜視図、（ｂ）は正面図、（ｃ）は縦断面図である。
【図５】図５は軸部を示す図であって、（ａ）は斜視図、（ｂ）は正面図、（ｃ）は側面図、（ｄ）は底面図、（ｅ）は底面側から見た斜視図である。
【図６】図６はねじ棒を示す図であって、（ａ）は正面図、（ｂ）は斜視図、（ｃ）は（ｂ）の逆方向からの見た斜視図、（ｄ）は縦断面図である。
【図７】図７は回止部材を示す図であって、（ａ）は平面図、（ｂ）は斜視図、（ｃ）は（ｂ）の逆方向からの見た斜視図である、
【図８】図８はねじ体を示す図であって、（ａ）は正面図、（ｂ）は縦断面図、（ｃ）は斜視図である。
【図９】図９はキャップを示す図であって、（ａ）は斜視図、（ｂ）は（ａ）の逆方向からの見た斜視図，（ｃ）は縦断面図、（ｄ）は底面図である。
【図１０】図１０はピストンを示す図であって、（ａ）は斜視図、（ｂ）は縦断面図である。
【図１１】図１１はネジ棒周りの回転動作状態を示した横断面図である。
【図１２】図１２はキャップへの液充填時の状態を示す図であって、（ａ）は、図２（ａ）に対応する縦断面図、（ｂ）は図２（ｂ）に対応する縦断面図である。
【図１３】図１３はキャップへの液充填時の状態（非押圧状態）を示す図であって、（ａ）は斜視図、（ｂ）は一部断面図である。
【図１４】図１４はキャップへの液充填時の状態（非押圧状態）を示す縦断面図である。
【図１５】図１５は液充填されたキャップの押圧状態を示す図であって、（ａ）は斜視図、（ｂ）は一部断面図である。
【図１６】図１６は液充填されたキャップの押圧状態を示す縦断面図である。
【発明を実施するための形態】
【００１６】
以下、本発明にかかる定量塗布具の一実施形態を図面に基づき説明する。
図１，２示すように、この定量塗布具１は、定量塗布体Ａと、薬剤等の液体を収容するボトル部Ｂから構成され、前記定量塗布体Ａはボトル部Ｂに対して、着脱自在に構成されている。
前記ボトル部Ｂは、薬剤等の液体を貯留するボトル２と、定量塗布体Ａを保持する保持体３を備えている。
【００１７】
前記ボトル２は、図３に示すように、上面部２ａに開口部２ｂが形成され、内部に薬剤等の液体を貯留する貯留部２ｃが形成されている。また、前記ボトル２の開口部２ａには、上方に延びる側壁２ｄが設けられている。
【００１８】
また、図４に示すように、定量塗布体Ａを保持する保持体３は、全体として略円筒状の本体部３ａと、前記本体部３ａの下端部に形成された円弧状の切込み部３ｂとを備えている。
前記本体部３ａの下面は、図２に示すように、前記ボトル２に装着された際、ボトル２の底面に接するように形成され、前記円弧状の切込み部３ｂを介して、前記保持体３の本体部３ａ内にボトル２内に貯留された液体が流入、流出するように形成されている。
【００１９】
また、前記本体部３ａの上端部側には周壁３ｃから突出した鍔部３ｄが形成されている。この鍔部３ｄの下面は、図２に示すように、ボトル２の側壁２ｄの上面と当接し、前記鍔部３ｄはボトル２に係止される。また、前記保持体３の略中間部には、爪部３ｅが形成されている。
このように、前記本体部３ａに鍔部３ｄと爪部３ｅが形成されているため、前記保持体３の本体部３ａをボトル２の開口部２ｂ内に差し込むと、前記本体部３ａは爪部３ｅを内側に撓ませながら移動する。そして、前記爪部３ｅはボトル２の内部で元の状態に戻る。
一方、前記鍔部３ｄはボトル２の側壁２ｄの上面と当接し、係止される。その結果、前記保持体３が前記ボトル２に差し込まれ装着されると、前記ボトル２と保持体３は一体化する。
【００２０】
また、前記本体部３ａの上端部側の内周面には、図４（ｃ）に示すように、内方に突出し、かつ周方向に延設された突起部３ｆが形成されている。この突起部３ｆが、定量塗布体Ａを構成する後に述べる軸部１０と嵌合することによって、定量塗布体Ａがボトル部Ｂから容易に脱落しないようになすためのものである。
また、前記本体部３ａの下端部側の内周面には、平面部３ｇ１を有する突起部３ｇが形成されている。
この平面部３ｇ１を有する突起部３ｇは、定量塗布体Ａを構成する後に述べるキャップ１６のボトル２への挿入方向を規制すると共に、前記保持体３に対して、前記キャップ１６が回動することがないように規制するためのものである。
【００２１】
次に、定量塗布体Ａの構成について、図２及び図５乃至図１０に基づいて説明する。
定量塗布体Ａは、図２、図５に示すように、上端部に設けられたスプリング１１が係止される係止部１０ｆと、周面に設けられた螺旋状のガイドスリット１０ａ，１０ｂと、内周面に形成された突起１０ｇとを有する円筒状の軸部１０を備えている。
【００２２】
また、定量塗布体Ａは、図２、図６に示すように、下部に形成されたねじ部１２ａと、上部に軸線方向に直線状に延設され、前記軸部１０の突起１０ｇと係合する複数の突起１２ｃ（突起部１２ｂ）とを有するねじ棒１２を備えている。このねじ棒１２は軸部１０内に収容される。
【００２３】
更に、定量塗布体Ａは、図２、図７に示すように、回止部材１３が備えられている。この回止部材１３は、円筒状の本体部１３ｄと、前記本体部１３ｄの外周面に形成された前記ガイドスリット１０ａ，１０ｂ内に移動可能に収容されたガイドピン１３ａと、前記本体部１３ｄの内周部に形成された前記ねじ棒１２の突起と噛合する歯状突起１３ｂと、前記本体部１３ｄ上面に形成された前記スプリング１１の下端部を係止する係止部１３ｃと、前記前記本体部１３ｄの下面から下方向に延設され、前記キャップ１６の上端部と接する脚部１３ｆとを有している。
この回止部材１３は、前記ねじ棒１２と一体として回動すると共に前記ねじ棒１２の軸線方向に移動可能に形成されている。
【００２４】
更に、定量塗布体Ａは、図２、図１０に示すように、前記ねじ棒１２の先端部に取り付けられるピストン１５を備え、また図２、図９に示すように、前記ピストン１５を内部に収容すると共に、底面１６ａに液体を導入、導出する開口部１６ｂが形成され、前記軸部１０の下端部に、前記軸部１０に対して、上下動、回動可能に係止されるキャップ１６を備えている。
【００２５】
また、定量塗布体Ａは、図２、図８に示すように、前記キャップ１６内に固定して設けられ、前記ねじ棒１２に螺合することにより、前記ねじ棒１２を進退させるねじ体１４を備えている。
【００２６】
更に、各構成部材について詳述する。
図５に基づいて、まず軸部１０について説明する。
前記軸部１０は、円筒状に形成され、その周面には下端側から上端側に向かって、螺旋状に所定長さに形成されたガイドスリット１０ａ，１０ｂが設けられている。
このガイドスリット１０ａ，１０ｂは、いわゆる左ねじ方向に螺旋状に形成され、前記ガイドスリット１０ａ，１０ｂ内に、前記回止部材１３のガイドピン１３ａが移動可能に収容される。
【００２７】
前記ガイドスリット１０ａ，１０ｂには、互いに対象に配置され、また夫々のガイドスリット１０ａ，１０ｂの周囲にはコ字状の溝１０ｃ、１０ｄが設けられている。
前記コ字状の溝１０ｃ、１０ｄは、夫々のガイドスリット１０ａ，１０ｂにガイドピン１３ａを装着する際、周壁１０ｅを変形させ、ガイドスリット１０ａ，１０ｂ内には前記ガイドピン１３ａを収容するために形成されている。
【００２８】
また、前記軸部１０の内部には突起１０ｇが形成され、前記ねじ棒の突起部１２ｂ（突起１２ｃ）と係合するように構成されている。また、前記軸部１０の上端部には、前記スプリング１１の上端部が係止される係止部１０ｆが設けられている。
また、軸部１０の下端部内周面には、軸部１０の軸線方向に所定の長さ寸法を有する凹部１０ｈが形成され、この凹部１０ｈと嵌合することにより軸部１０と前記キャップ１６が分離することなく、前記軸部１０に対して、前記キャップ１６が上下動、回動可能に取り付けられる。
【００２９】
次に、図６に基づいて、前記ねじ棒１２について説明する。
前記ねじ棒１２は、軸線方向に延びる突起１２ｃが周方向に複数設けられている突起部１２ｂと、前記突起部１２ｂの下側にねじ１２ｄが形成されたねじ部１２ａを備えている。前記ねじ１２ｄは、いわゆる右ねじに形成されている。また、前記突起部１２ｂの径は、前記ねじ部１２ａの径よりも大径に形成されている。
【００３０】
また、前記ねじ部１２ａの下端部には、前記ピストン１５を係止する係止部１２ｅが設けられている。この係止部１２ｅは、ねじ部１２ａの下端面から延設された軸部１２ｅ１と、前記軸部１２ｅ１から突出した爪部１２ｅ２とを有している。
【００３１】
また、前記突起部１２ｂの上端部には、前記突起１２ｃと同じ高さ（突起１２ｃの頂部と同径）に形成されたリング部１２ｆが形成されている。このリング部１２ｆは、前記回止部材１３の歯状突起１３ｂが当接することにより、ねじ棒１２から前記回止部材１３が脱落するのを防止している。
【００３２】
次に、図７に基づいて、前記回止部材１３について説明する。
前記回止部材１３は、リング状の本体部１３ｄと、前記本体部１３ｄの外周面に１８０度の間隔をもって形成された、２つのガイドピン１３ａとを備えている。
また、前記ガイドピン１３ａと９０度の間隔をもって、下方に延びる板状の脚部１３ｆが設けられている。また前記リング状の本体部１３ｄの内周面には、歯状突起１３ｂが形成され、前記歯状突起１３ｂの間には、凹部１３ｅが形成されている。
【００３３】
前記リング状の本体部１３ｄの内周面の凹部１３ｅ内に、前記ねじ棒１２の突起１２ｃが収容され、前記歯状突起１３ｅと前記ねじ棒１２の突起１２ｃが噛み合うようになされている。
したがって、前記回止部材１３とねじ棒１２は一体となって回動するように、回動方向において一体化している。一方、前記回止部材１３とねじ棒１２は、軸線方向において相対的に移動可能になされている。
【００３４】
尚、前記リング状の本体部１３ｄの径は、ねじ棒１２のリング部１２ｆの径よりも大きく形成され、前記リング状の本体部１３ａの上端面には、前記スプリング１１の下端部が係止される係止部１３ｃが形成されている。
【００３５】
次に、図８に基づいて、前記ねじ体１４について説明する。
前記ねじ体１４は、円筒状の本体部１４ａと、前記本体部１４ａの上部１４ａ１の内周面に形成された、前記ねじ棒１２のねじ１２ｄと螺合するねじ１４ｂとを備えている。
また、前記本体部１４ａの下部１４ａ２には、舌状片１４ｃが設けられ、前記舌状片１４ｃの外側面には係止突起１４ｄが形成されている。この舌状片１４ｃの周囲には、コ状の溝１４ｅが形成され、前記舌状片１４ｃは、本体部１４ａの径方向に変形可能に構成されている。
【００３６】
この舌状片１４ｃの係止突起１４ｄは、図９に示す前記キャップ１６の内周面の突起部１６ｃに係止され、一定力以上の回動力が作用すると係止が解除されるように構成されている。
即ち、キャップ１６に対して、ねじ体１４が回動する、いわゆるラチェット機構として機能するように構成されている。
【００３７】
次に、図９に基づいて、前記キャップ１６について説明する。
前記キャップ１６は、有底円筒状の本体部１６ｄと、前記本体部１６ｄの内周面に一定の間隔をもって複数形成された突起部１６ｃとを備えている。この突起部１６ｃは、前記したように、前記舌状片１４ｃの係止突起１４ｄを係止するためのものである。
また本体部１６ｄの底面１６ａには、液体が導入あるいは液体を導出するための開口部（吐出口）１６ｂが設けられている。
【００３８】
また、前記本体部１６ａの上部外周面には周方向に、係止突起１６ｅが設けられている。この係止突起１６ｅは、軸部１０の下端部内周面に形成された凹部１０ｇ内に収容され、凹部１０ｇの端面において係止されるように構成されている。
そのため、係止突起１６ｅを有する前記キャップ１６は、前記軸部１０に対して、上下動、回動可能になされ、前記係止突起１６ｅが凹部１０ｇの端面において係止されることにより、軸部１０とキャップ１６が分離しないようになされている。
【００３９】
また、本体部１６ａの中間部から下方向にかけて、平面部１６ｆが形成され、異形断面形状になされている。
前記キャップ１６を保持体３に装着する際、前記平面部１６ｆと突起部３ｇの平面部３ｇ１が一致する場合には、前記キャップ１６（定量塗布体Ａ）を保持体３内に進入させることができるが、一致しない場合には、前記キャップ１６が保持体３内に進入できないようになされている。
また前記キャップ１６（定量塗布体Ａ）を保持体３に装着した後にあっては、前記軸部１０を回動させても、キャップ１６（定量塗布体Ａ）は、保持体３の突起部３ｇと前記平面部１６ｆとによって回動が規制され、回動することはないようになされている。
【００４０】
次に、図１０に基づいて、前記ピストン１５について説明する。
また、前記ピストン１５はゴム等の材質で本体部１５ａ形成され、本体部１５ａの上部にはねじ棒１２の係止部１２ｅが係止される凹部１５ｂが形成されている。
前記凹部１５ｂの内周面には、ねじ棒１２の爪部１２ｅ２を係止する係止突部１５ｂ１が設けられている。また、本体部１５ａの下面には、液押面１５ｃが形成されている。
【００４１】
このように構成された各部材を組み立て、定量塗布体Ａを得るには、まず、ねじ棒１２の下向から回止部材１３を挿入し、ねじ棒１２の突起１２ｃと回止部材１３の歯状突起（凹部）１３ｂを噛み合わせる。一方、ねじ棒１２のねじ１２ｄにねじ体１４を螺合させ、更にねじ棒１２の下端にピストン１５を取り付ける。
そして、前記軸部１０内にスプリング１１を収容し、前記回止部材１３を軸部１０内に挿入し、ガイドピン１３ａを軸部１３のガイドスリット１０ａ，１０ｂ内に収容する。
このとき、軸部１０の突起１０ｇがねじ棒１２の突起１２ｃの間の位置するように配置される。この状態を図１１に示す。尚、この図１１は、軸部１０の先端側から後端側をみた断面図である。
【００４２】
更に、前記ねじ棒１２の下部及びピストン１５をキャップ１６内に収容する。このとき、ねじ体１４の係止突起１４ｄがキャップ１６内の突起部１６ｃに係止されるようにする。そして、前記キャップ１６の上端部の係止突起１６ｅを軸部１２の下端部の凹部１０ｈに収容することにより、定量塗布体Ａが完成する。
【００４３】
このようにして完成した定量塗布体Ａでは、前記回止部材１３の脚部１３ｆの下端面は、キャップ１６の上端部と接し、また前記回止部材１３は、スプリング１１によってキャップ１６側に付勢されている。その結果、キャップ１６の上端部の係止突起１６ｅは、軸部１２の下端部の凹部１０ｈの下側の端面で係止されている。
また、前記回止部材１３のガイドピン１３ａは、前記したように回止部材１３がスプリング１１によって付勢されているために、軸部１０のガイドスリット１０ａ，１０ｂの下側端部に位置している。
【００４４】
次に、図２、図１１、図１２に基づいて、前記定量塗布体Ａに液体を充填する動作について説明する。
図２に示すように、ボトル部Ｂに定量塗布体Ａが装着された状態にあっては、ピストン１５は、キャップ１６の底面に位置し、キャップ１６内には液体は収容されていない。
この状態で軸部１０を、図２、図１１に示す矢印Ｘ方向（反時計回り）に回動させると、軸部１０の突起１０ｇがねじ棒１２の突起１２ｃに当たり、前記ねじ棒１２を回動させる。
前記ねじ棒１２は、キャップ１６に係止されたねじ体１４と螺合し、しかもねじ棒１２のねじ１２ｄは右ねじに形成されているため、相対的にねじ棒１２は上方向に後退（移動）する。
【００４５】
即ち、前記キャップ１６は保持体３に装着されているため、前記キャップ１６は保持体３の突起部３ｇと前記平面部１６ｆとによって回動が規制され、回動することはない。また、前記保持体３はボトル２の開口部２ｂに嵌合しているため、保持体３が回動することはない。
したがって、前記軸部１０を回動させると、ねじ棒１４（ピストン１５）は上方向に移動し、キャップ１６内に開口部（吐出口）１６を介して、液体が導入される。
尚、回止部材１３は、前記ねじ棒１２と共に回動するが、スプリング１１により下方向に付勢されているため、軸線方向に（上方に）移動することなく、その位置が維持される（ガイドピン１３ａはガイドスリット１０ａ，１０ｂの下端側に位置している）。
【００４６】
このようにして、前記軸部１０を回動させることにより、軸部１０の突起１０ｇがねじ棒１２を回動させ、前記ねじ棒１２及びピストン１５を後退させ、キャップ１６内に前記開口部１６ｂから液体を導入し、液体を充填する。この充填された状態を図１２に示す。
【００４７】
尚、ねじ棒１２が上方向に移動（後退）し、ピストン１５がねじ体１４の下面に当接し、ねじ棒１２の上方向の移動が規制されると、ねじ棒１２の回動力がねじ体１４に伝達され、ねじ体１４の係止突起１４ｄとキャップ１６の突起部１６ｃの係止が解除される。
これにより、ねじ体１４がねじ棒１２と共に回動し、キャップ１６内で空転し、ねじ棒１２の上方向の移動が停止する。
【００４８】
次に、この定量塗布体Ａの塗布の動作、作用について、図１１、図１３乃至図１６に基づいて説明する。
まず、ボトル部Ｂから定量塗布体Ａを取り出す。取り出した状態の定量塗布体Ａを図１３及び図１４に示す。そして、図１３及び図１４に示す状態において、液体を塗布する対象物（図示せず）に、前記キャップ１６の底面１６ａを押し当てる。
【００４９】
このキャップ１６の底面１６ａを押し当てると、軸部１０に対してキャップ１６がＹ方向（軸部内方）へ移動する。このとき回止部材１３の脚部１３ｆがキャップ部１６の上端面に接しているため、前記キャップ１６のＹ方向の移動で、回止部材１３もＹ方向に、スプリング１１を圧縮しながら、移動する。
このとき、前記回止部材１３のガイドピン１３ａは、軸部１０のガイドスリット１０ａ，１０ｂの下端部から上端部へ案内されながら移動し、前記回止部材１３を回動させる。
【００５０】
図１１に示すように、この回止部材１３のＺ方向（時計方向）回動によって、ねじ棒１２も回動し、ピストン１５を下方向に移動（前進）させ、キャップ１６内の液体を開口部（吐出口）１６ｂから外部に導出する。
このとき、軸部１０の突起１０ｇはねじ棒１２の突起１２ｃを乗り越え、次の突起１２ｃと係止される。即ち、定量の塗布がなされる。
【００５１】
そして、液体を塗布する対象物（図示せず）に、前記キャップ１６の底面１６ａへの押し当てを解除する（押圧を解除する）と、前記スプリング１１の反発力により、ガイドピン１３ａがガイドスリット１０ａ、１０ｂの上端部から下端部へ移動するが、ねじ棒１２の突起１２ｃと軸部１０の突起１０ｇが係合しているため、ねじ棒１２及び回止部材１３は回転しない。
即ち、ピストンは前記移動（前進）位置に留まることになる。
そして、前記押圧及び押圧の解除を繰り返し、ピストン１５を下方向に移動（前進）させ、キャップ１６内の液体を開口部１６ｂ（吐出口）から所定量吐出する。
【００５２】
尚、前記軸部１０の突起１０ｇは、ねじ棒１２の突起１２ｃを乗り越え、次の突起１２ｃと係止されるため、いわゆるクリック感を使用者に与えることができる。
この１回のクリック感によって塗布する液体量をあらかじめ規定し、使用者が１回のクリック感を得た後、対象物の他の部位への塗布するようにすれば、対象物の塗布すべき部位に対して、常に所定量の液体を塗布することができる。
【００５３】
また、前記押圧及び押圧の解除を繰り返し、軸部１０の突起１０ｇがねじ棒１２の複数の突起１２ｃを順次乗り越え、最終的に回止部材１３の脚部１３ｆの側部に当接すると、前記押圧することができなくなり（図１１参照）、塗布が終了する。
【００５４】
このように、キャップ１６の底面１６ａを押し当てること（一度の押圧）によって、前記回止部材１３の回動量が規制されているために、前記ピストン１５の移動量も規制され、キャップ１６内の液体を一定量開口部１６ｂ（吐出口）から導出することができる。
更に言えば、液体を塗布する対象物（図示せず）に、前記キャップ１６の底面１６ａを押し当て続けても、開口部１６ｂ（吐出口）から導出される液体量は一定であり、従来のように液体が導出され続けることがなく、キャップ１６内に貯留された液体が対象物の一箇所に吐出されることはない。
【００５５】
また、前記したように、ピストン１５によりキャップ１６内の液体を導出するように構成しているため、粘性の高い液体の塗布にも使用することができる。また、ボトル部Ｂと定量塗布体Ａが分離することができるため、その取り扱いが容易である。
【００５６】
また、キャップ１６内に液体の残量がある場合には、ボトル２に装着後、軸部１０を反時計方向に回すことにより、ねじ棒１２を回転させ、前記ピストン１５を前進させることにより、液体をボトル３内に戻すことができる。
この際、前記ピストン１５がキャップ１６の底面１６ａの接し、前進することができない場合においても、ねじ体１４の係止突起１４ｄとキャップ１６の突起部１６ｃの係止が解除され、ねじ棒１２とねじ体１４とが一体に回転することにより、キャップ１６、ピス  トン１５、ねじ棒１２、ねじ体１４の破損を防止することができる。
【００５７】
尚、上記実施形態は、一例を示したものであり、例えば、スリットガイドをいわゆる右ねじ方向に螺旋状に形成し、ねじ棒に形成されるねじを左ねじに形成しても良い。
【符号の説明】
【００５８】
Ａ      定量塗布具
Ｂ      ボトル部
１      定量塗布体
２      ボトル
３      保持体
１０    軸部
１０ａ，１０ｂ  ガイドスリット
１０ｃ  突起
１０ｆ  係止部
１０ｇ  突起
１０ｈ  凹部
１１    スプリング
１２    ねじ棒
１２ａ  ねじ部
１２ｂ  突起部
１２ｃ  突起
１３    回止部材
１３ａ  ガイドピン
１３ｂ  歯状突起
１３ｃ  係止部
１３ｄ  本体部
１３ｅ  凹部
１３ｆ  脚部
１４    ねじ体
１４ａ  本体部
１４ｂ  ねじ
１４ｃ  舌状変
１４ｄ  係止突起
１５    ピストン
１６    キャップ
１６ａ  底面
１６ｂ  開口部（吐出口）
１６ｃ  突起部
１６ｄ  本体部
１６ｅ  係止突起
１６ｆ  平面部
【図１】
2015227205.tif 000003
【図２】
2015227205.tif 000004
【図３】
2015227205.tif 000005
【図４】
2015227205.tif 000006
【図５】
2015227205.tif 000007
【図６】
2015227205.tif 000008
【図７】
2015227205.tif 000009
【図８】
2015227205.tif 000010
【図９】
2015227205.tif 000011
【図１０】
2015227205.tif 000012
【図１１】
2015227205.tif 000013
【図１２】
2015227205.tif 000014
【図１３】
2015227205.tif 000015
【図１４】
2015227205.tif 000016
【図１５】
2015227205.tif 000017
【図１６】
2015227205.tif 000018